(57)【要約】【課題】  γ線だけでなくβ線も同時に検知できる放射線検知器を提供する。【解決手段】  放射線検知器100は第１〜第３の３つのセンサ104を有し、各センサ104はα線、β線、γ線を検知する機能を有している。第１のセンサ104Aはフィルタ無しである。第２のセンサ104Bにはα線を遮断するフィルタ120Bが配置されている。第３のセンサ104Cにはα線、β線を遮断するフィルタ120Cが配置されている。放射線検知器100に接続されたPCは、これら３つのセンサ104の出力に基づいてα線、β線、γ線の各々の放射線量を求める。【選択図】図１
2014139555.tif 000002
【特許請求の範囲】
【請求項１】
α線、β線、γ線を検知可能な第１、第２、第３の少なくとも３つのセンサを有し、
前記第１のセンサがフィルタ無しであり、
前記第２のセンサにはα線の通過を阻止する第１のフィルタが設置され、
前記第３のセンサにはα線及びβ線の通過を阻止する第２のフィルタが設置されていることを特徴とする放射線検知器。
【請求項２】
前記第１、第２のフィルタが脱着可能である、請求項１に記載の放射線検知器。
【請求項３】
前記第１、第２、第３のセンサは、これら各センサと測定対象物との間の間隔が調整可能である、請求項１に記載の放射線検知器。
【請求項４】
前記第１、第２、第３の少なくとも３つのセンサを備えた検知ユニットを複数有し、
隣接する検知ユニットがヒンジ連結されている、請求項３に記載の放射線検知器。
【請求項５】
中性子を検知する第４のセンサを更に有する、請求項１〜４のいずれか一項に記載の放射線検知器。
【請求項６】
請求項１〜５のいずれか一項に記載の放射線検知器と、
該放射線検知器及び測定対象物を外部環境から遮蔽する遮蔽体と、
前記放射線検知器からの信号を受けて、前記第１のセンサからの信号と前記第２のセンサからの信号とに基づいてβ線とγ線に関する放射線量に相当する値を求める第１演算処理と、
前記放射線検知器からの信号を受けて、前記第２のセンサからの信号と前記第３のセンサからの信号とに基づいてγ線に関する放射線量に相当する値を求める第２演算処理と、
前記第１演算処理によるβ線とγ線に関する放射線量に相当する値と、前記第２演算処理によるγ線に関する放射線量に相当する値とからβ線に関する放射線量に相当する値を求める第３演算処理と、
前記第１のセンサからの信号に基づいてα線、β線、γ線に関する放射線量に相当する値と、前記第２、第３の演算処理によって求めたγ線、β線の各々に相当する値とからα線に関する放射線量に相当する値を求める第４演算処理とを行う演算手段と、
該演算手段によって求めたα線、β線、γ線の各々の値を表示する表示手段とを有することを特徴とする放射線量測定装置。
【請求項７】
前記演算手段によって求めたα線、β線、γ線の各々の値を紙に印刷するプリンタを更に有する、請求項６に記載の放射線量測定装置。
【請求項８】
前記遮蔽体の中を真空状態にする真空源を更に有し、
前記遮蔽体の中を真空にした状態で該遮蔽体の中に収容した測定対象物の放射線量を計測する、請求項６又は７に記載の放射線量測定装置。
【発明の詳細な説明】
【技術分野】
【０００１】
本発明は、現場で放射線量を計測可能な放射線検知器に関し、より詳しくは、１台の測定器でα線、β線、γ線の放射線量を同時に検知することのできる放射線検知器に関する。
【背景技術】
【０００２】
2011年3月の東北地方太平洋沖地震及び津波（東日本大震災）に伴って発生した福島原子力発電施設の事故は、今現在に至っても環境中に大量の放射性物質を放出し続けるという結果を招いており、広域に亘る放射能汚染が社会問題となっているのは周知の通りであり、近時になってようやく除染作業が本格化したところである。
【０００３】
放射線量の検知器として、電離箱（特許文献１）、ＧＭ計数管、半導体検知器、NaIシンチレーション検知器、CsIシンチレーション検知器などがある。
【０００４】
除染現場ではポータブル性が要求されるため、商品名「マルチ放射線モニタ」、「NaIシンチレーションサーベイメーター」、「GMパンケーキプローブ（東洋メディック株式会社販売）」、セイコー・イージーアンドジー株式会社が製造販売する「RadEye-B20」などが使われている。
【０００５】
福島原子力発電設備の事故によって拡散したと考えられる放射性物質を例示的に列挙すると次の通りである。なお、各放射性物質が発する放射線の種類を括弧書きで付記する。
【０００６】
キュリウム２４２（α線）、各種のプロトニウム（α線）、ヨウ素１３１（β線）、各種のテルル（β線）、ストロンチウム（β線）、セシウム１３４（β線、γ線）など。
【０００７】
上述したポータブル放射線検知器はγ線に有効であり、したがって除染現場での現在の放射線量の検知は事実上セシウムに限定されているのが現状である。
【先行技術文献】
【特許文献】
【０００８】
【特許文献１】特開平８−２１１１５７号公報
【発明の概要】
【発明が解決しようとする課題】
【０００９】
人体への放射線の影響はチェルノブイリ事故から放射性物質による健康被害の研究が進み、例えばヨウ素は甲状腺に蓄積すると言われている。またストロンチウムは骨に蓄積すると言われている。セシウムは膀胱に蓄積すると言われている。
【００１０】
今現在の除染は外部被爆を誘発するセシウムの回収が目的とされている。しかし、放射性物質に接近する頻度が高い作業者、例えば除染作業者にとって様々な放射性核種の内部被爆から身を守るには、現場が放出しているγ線（セシウム）だけでなくα線、β線の放射線量も知りたい、という要請がある。
【００１１】
本発明は、γ線だけでなくβ線も同時に検知できる放射線検知器の提供を目的とする。
【００１２】
本発明の更なる目的は、α線、β線、γ線を同時に検知できる放射線検知器を提供することにある。
【００１３】
本発明の更なる目的は、汚染土壌などの汚染物や作業者が着用した手袋、マスク、着衣などを検体としてそのα線、β線、γ線を同時に且つ迅速に検知することのできる放射線検知器を提供することにある。
【００１４】
本発明の更なる目的は、α線、β線、γ線の同時検知を現場で行うことのできる放射線量測定装置を提供することにある。
【課題を解決するための手段】
【００１５】
上記の技術的課題は、本発明の一つの観点によれば、
α線、β線、γ線を検知可能な第１、第２、第３の少なくとも３つのセンサを有し、
前記第１のセンサがフィルタ無しであり、
前記第２のセンサにはα線の通過を阻止する第１のフィルタが設置され、
前記第３のセンサにはα線及びβ線の通過を阻止する第２のフィルタが設置されていることを特徴とする放射線検知器を提供することにより達成される。
【００１６】
すなわち、これら第１〜第３のセンサからの信号を受けて演算することで、これら第１〜第３のセンサが同時に受け取った放射線に基づいて測定対象物のα線、β線、γ線の夫々の線量を求めることができる。
【００１７】
本発明に従う放射線検知器は典型的には遮蔽体の中で使用される。すなわち、遮蔽体の中に放射線検知器と測定対象物とを入れて、周囲環境から隔絶した状態で測定対象物の放射線量の計測を行うのがよい。放射線検知器と測定対象物との間の間隔は小さい方がよい。この間隔を保つために放射線検知器と測定対象物との離間距離を一定に保つためのスペーサを設けるのがよい。
【００１８】
また、本発明の好ましい実施形態によれば、前記第１、第２、第３のセンサは、これら各センサと測定対象物との間の間隔が調整可能である。この調整機能を確保するための方法の一例は、第１〜第３のセンサを例えば可撓性部材に支持させ、この可撓性部材を適当に折り曲げることで各センサと測定対象物との間の間隔を調整することを例示的に挙げることができる。他の例として、前記第１、第２、第３の少なくとも３つのセンサを備えた検知ユニットを複数有し、隣接する検知ユニットをヒンジ連結してもよい。
【００１９】
前述した技術的課題は、本発明の他の観点によれば、
上述した本発明に従う放射線検知器と、
該放射線検知器及び測定対象物を外部環境から遮蔽する遮蔽体と、
前記放射線検知器からの信号を受けて、前記第１のセンサからの信号と前記第２のセンサからの信号とに基づいてβ線とγ線に関する放射線量に相当する値を求める第１演算処理と、
前記放射線検知器からの信号を受けて、前記第２のセンサからの信号と前記第３のセンサからの信号とに基づいてγ線に関する放射線量に相当する値を求める第２演算処理と、
前記第１演算処理によるβ線とγ線に関する放射線量に相当する値と、前記第２演算処理によるγ線に関する放射線量に相当する値とからβ線に関する放射線量に相当する値を求める第３演算処理と、
前記第１のセンサからの信号に基づいてα線、β線、γ線に関する放射線量に相当する値と、前記第２、第３の演算処理によって求めたγ線、β線の各々に相当する値とからα線に関する放射線量に相当する値を求める第４演算処理とを行う演算手段と、
該演算手段によって求めたα線、β線、γ線の各々の値を表示する表示手段とを有することを特徴とする放射線量測定装置を提供することにより達成される。
【００２０】
本発明に従う放射線量測定装置は、好ましくは、前記遮蔽体の中を真空状態にする真空源を更に有し、前記遮蔽体の中を真空にした状態で該遮蔽体の中に収容した測定対象物の放射線量を計測する装置であるのがよい。これにより、放射線量の測定精度を高めることができる。
【００２１】
本発明に従う放射線量測定装置をワンボックスカーに搭載することで、空気調和装置を備えたワンボックスカーを移動する放射線量測定室として利用することができる。ワンボックスカーが乗員のために備えている空気調和装置を使うことで、この移動する放射線量測定室の温度を一定に保つことができ、温度による測定誤差を低減することができる。
【図面の簡単な説明】
【００２２】
【図１】実施例の放射線検知器を含む放射線量測定装置の全体概要を示すブロック図である。
【図２】実施例の放射線検知器の外観図を説明するための図である。
【図３】実施例の放射線検知器の平面図である。
【図４】実施例の放射線検知器の部分断面図である。
【図５】実施例の放射線検知器を使ったα線、β線、γ線の各々の放射線量の計測方法の具体的な一例を説明するためのフローチャートである。
【図６】遮蔽体の中に設置した放射線検知器及び測定対象物を断面して示す図である。
【図７】変形例の放射線検知器の平面図である。
【図８】ワンボックスカーを使った移動する放射線量計測室の全体構成を説明するための図である。
【図９】ワンボックスカーに搭載された遮蔽体の中に設置された放射線検知器の構成を説明するための平面図である。
【図１０】具体例の遮蔽体の平面図である。
【図１１】図１０に図示の遮蔽体の正面図である。
【図１２】図１０に図示の遮蔽体の右側面図である。
【図１３】図１０に図示の遮蔽体の左側面図である。
【図１４】図１０に図示の遮蔽体の背面図である。
【図１５】図１０に図示の遮蔽体の底面図である。
【図１６】図１０に図示の遮蔽体の斜視図である。
【図１７】図１０に図示の遮蔽体の使用状態を説明するための断面図である。
【発明を実施するための形態】
【実施例】
【００２３】
以下に、添付の図面に基づいて本発明の好ましい実施例を説明する。図１は実施例の放射線検知器のブロック図である。実施例の放射線検知器１００は、第１〜第３の３つの放射線検知部１０２Ａ、１０２Ｂ、１０２Ｃを有している。これら３つの放射線検知部１０２Ａ、１０２Ｂ、１０２Ｃは同じ構成及び機能を有していることから、これらを総称するときには参照符号１０２を使用して説明する。
【００２４】
放射線検知部１０２はセンサ１０４を有している。センサ１０４はα線、β線、γ線を検出する機能を有している。具体的には、センサ１０４は、米国のＬＮＤ社が販売するパンケーキ形ガイガーミューラ管（Pancake style mica window tube）（型番「ＬＮＤ７３１１」）で構成されている。
【００２５】
放射線検知部１０２は、センサ１０４に高電圧を印加する高圧モジュール１０６を有し、センサ１０４中の不活性ガスはセンサ１０４を通過する放射線によって分離してセンサ１０４が内蔵する電極間にパルス電流が流れる。この現象つまり不活性ガスの分離に伴う電極間の通電の回数はマイクロコンピュータ１０８によって求められ、マイクロコンピュータ１０８は単位時間（例えば１秒間）当たりのカウント数を出力する。
【００２６】
第１〜第３の３つの放射線検知部１０２Ａ、１０２Ｂ、１０２Ｃを備えた放射線検知器１００はパーソナルコンピュータＰＣに接続され、このパーソナルコンピュータＰＣに接続されることにより放射線量測定装置Ｒが構成される。この実施例の放射線量測定装置Ｒは作業台やパーソナルな机の上に設置して作業することのできる比較的コンパクトな大きさであり、主に現場の室内で使用される。
【００２７】
放射線検知器１００の出力はパーソナルコンピュータＰＣに入力され、パーソナルコンピュータＰＣを使って生成した所望の情報がモニタ１１０に表示される。勿論、パーソナルコンピュータＰＣには必要に応じてプリンタ（図示せず）が接続され、このプリンタを使って紙に印刷することも可能である。
【００２８】
図２〜図４は放射線検知器１００を示す図である。放射線検知器１００はボックス状のケース１１２の一つの矩形の平らな面１１２ａにおいて、その長手方向に並んで３つの円形開口１１４を有し、各センサ１０４（パンケーキ形ガイガーミューラ管）の円形検出窓（マイカ窓）は各円形開口１１４に臨んで配置されている。図中、参照符号１１６はセンサ１０４のマイカ窓を保護するための金属ネットを示す。
【００２９】
変形例として、センサ１０４はパンケーキ形ガイガーミューラ管に限定されず、例えばプラスティックシンチレーションのようなα線、β線、γ線を検知する機能を有していれば他のセンサを採用してもよい。
【００３０】
ボックス状ケース１１２の各円形開口１１４にはフィルタ１２０が脱着可能であり、この実施例では、各円形開口１１４を挟んで左右に配置された一対のレール１２２に対してプレート１２４がスライド挿入される。このプレート１２４には、フィルタ１２０が交換可能に取り付けられる。各円形開口１１４に対するフィルタ１２０の脱着構造は任意であり、上述したスライド式に限定されないのは勿論である。
【００３１】
放射線検知器１００は典型的には次のやり方で使用される。ボックス状ケース１１２の３つの円形開口１１４を識別するためにＡ、Ｂ、Ｃを付記し、図１を参照して説明した第１〜第３の３つの放射線検知部１０２Ａ、１０２Ｂ、１０２Ｃの夫々に第１〜第３の円形開口１１４Ａ、１１４Ｂ、１１４Ｃが対応している。
【００３２】
第１の円形開口１１４Ａはフィルタ無しである。第２の円形開口１１４Ｂには紙片や合成樹脂製の薄いシートからなるフィルタ１２０Ｂが配置され、このフィルタ１２０Ｂ（紙）によって、第２の円形開口１１４Ｂへのα線の浸透が遮断される。第３の円形開口１１４Ｃには例えば１cmの厚さのプラスティック板や薄い金属板（例えばアルミニウム板）からなるフィルタ１２０Ｃが配置され、このフィルタ１２０C（例えばアルミニウム薄板）によってγ線以外の放射線つまりα線及びβ線の浸透が遮断される。α線を遮断するフィルタ（「α線遮断フィルタ」という。上記の例で言えばフィルタ１２０Ｂが相当する。）、α線及びβ線を遮断するフィルタ（「β線遮断フィルタ」という。上記の例で言えばフィルタ１２０Ｃが相当する。）をどの開口１１４Ａ〜１１４Ｃに配置するかは任意である。
【００３３】
フィルタ無しの第１の円形開口１１４Ａに臨んで位置する第１のセンサ１０４Ａはα線、β線、γ線を検知することができる。α線遮断フィルタ１２０Ｂ（紙片）を配置した第２の円形開口１１４Ｂに臨んで位置する第２のセンサ１０４Ｂは、β線、γ線を検知することができる。β線遮断フィルタ１２０Ｃ（例えばアルミニウム薄板）を配置した第３の円形開口１１４Ｃに臨んで位置する第３のセンサ１０４Ｃはγ線を検知することができる。
【００３４】
パーソナルコンピュータＰＣは、第１〜第３の３つの放射線検知部１０２Ａ、１０２Ｂ、１０２Ｃからの信号（カウント数）を受け取って、α線、β線、γ線の線量を求め、その情報をモニタ１１０に表示する。パーソナルコンピュータＰＣにおける具体的な処理の一例を図５に示すフローチャートを参照して説明すると、ステップＳ１で放射線検知部１０２Ａ、１０２Ｂ、１０２Ｃからのカウント信号を取込むと、次のステップＳ２において演算処理が行われる。この演算処理は次の式１、式２に従って行われる。この演算処理は１秒毎に行われる。
【００３５】
式１：α線に関連するカウント値＝（第１放射線検知部１０２Ａのカウント値）−（第２放射線検知部１０２Ｂのカウント値）
式２：β線に関連するカウント値＝（第２放射線検知部１０２Ｂのカウント値）−（第３放射線検知部１０２Ｃのカウント値）
【００３６】
次のステップＳ３では、α線、β線、γ線の各々に対応するカウント値（ＣＰＳ）が求められる。また、α線の線量、β線の線量、γ線の線量の各々及び全放射線量に関するＣＰＭ（毎分計数率）が求められる。更に、α線、β線、γ線の１分毎の線量等量率が求められる。そして、次のステップＳ４において、α線、β線、γ線の各々に関するＣＰＳ、ＣＰＭ並びに線量等量率をモニタ１１０に表示する処理が行われる。また、モニタ１１０の表示値はパーソナルコンピュータＰＣの記録媒体に時系列に保存される。
【００３７】
勿論、α線、β線、γ線の個々の線量やこれらを合算した線量をμＳｖ/ｈに換算した値を求めて、これをモニタ１１０に表示するようにしてもよい。
【００３８】
放射線量測定装置Ｒはα線、β線、γ線の各々の線量を計測する上記の基本モードの他に例えば次に列挙するモードの少なくとも一つのモードを有していてもよい。
【００３９】
（１）第２、第３の放射線検知部１０２Ｂ、１０２Ｃからフィルタ１２０Ｂ、１２０Ｃを取り外した状態つまり第１〜第３の放射線検知部１０２Ａ〜１０２Ｃでα線、β線、γ線の全てを検知するモード；
【００４０】
（２）第１〜第３の放射線検知部１０２Ａ〜１０２Ｃの全てに紙片からなるフィルタ１２０Ｂを装着した状態で放射線検出器１００を使用するモード；
【００４１】
（３）第１〜第３の放射線検知部１０２Ａ〜１０２Ｃの全てに例えばアルミニウム薄板からなるフィルタ１２０Ｃを装着した状態で放射線検出器１００を使用するモード。
【００４２】
放射線量測定装置Ｒは、また、中性子線を検出するセンサを付加的に有していてもよい。すなわち、放射線検知器１００に中性子を検出する第４のセンサを設け、α線、β線、γ線に加えて中性子線の線量を検知するようにしてもよい。
【００４３】
図６は、放射線検知器１００と一緒に使用して被測定物（測定対象物Ｏ）の放射線量を計測するのに都合の良い遮蔽体２００を示す。遮蔽体２００は、遮蔽底板２０２と、この遮蔽底板２０２の上に載置される遮蔽筒２０４と、遮蔽筒２０４の上に載置される遮蔽上蓋２０６とを有し、遮蔽筒２０４の上端縁には切り欠いた形状の凹部、つまり配線通路２０４ａが形成されている。勿論、遮蔽体２００は、例えばステンレス鋼板で包囲した鉛などの放射線遮蔽機能を備えた材料で構成される。放射線検知器１００から延びるケーブル１００ａは配線通路２０４ａを通じて遮蔽筒２０４の内部から外部に取り出され、このケーブル１００ａによってパーソナルコンピュータＰＣに接続される。
【００４４】
遮蔽体２００の変形例として、遮蔽底板２０２と遮蔽筒２０４とを一体化した有底の筒体で構成してもよい。例えば手袋、マスク、乾燥した土壌などの測定対象物Ｏはプラスティック製のトレー２１０に収容した状態で遮蔽底板２０２の上に載置された状態で遮蔽筒２０４と遮蔽上蓋２０６によって周囲環境から隔絶される。
【００４５】
放射線検知器１００は測定対象物Ｏの上方域に位置決めされる。具体的には、放射線検知部１０２を下方つまり測定対象物Ｏに向けた状態で遮蔽体２００の内部に設置される。好ましくは、放射線検知器１００は測定対象物Ｏに近接した状態で位置決めするのがよい。線図が錯綜するため図示を省略したが、高さの異なる複数種類のスペーサが予め用意される。スペーサは遮蔽底板２０２と放射線検知器１００との間に配置され、このスペーサによって放射線検知器１００の検知部１０２と測定対象物Ｏとの間の間隔が数cm好ましくは数mmに調整される。この放射線検知部１０２と測定対象物Ｏとの間の間隔は小さければ小さいほど良い。
【００４６】
具体的な測定手順を説明すると次のとおりである。
（第１工程）
トレー２１０の中の測定対象物Ｏの上表面を極力平らにする。
（第２工程）
遮蔽底板２０２の上に置いた遮蔽筒２０４の中にトレー２１０(測定対象物Ｏ)を入れる。
【００４７】
（第３工程）
高さの異なるスペーサ群の中から適当なスペーサを選択して放射線検知器１００の高さが所望の高さ位置になるように調整をする。
（第４工程）
遮蔽筒２０４の上に遮蔽上蓋２０６を置いて測定対象物Ｏ及び放射線検知器１００を外部環境から遮蔽する。
（第５工程）
測定を開始する。
【００４８】
放射線検知器１００の変形例を図７に示す。上述した実施例の放射線検知器１００に含まれる３つのセンサ１０４Ａ〜１０４Ｃは横並びに配置されているが、３つのセンサ１０４Ａ〜１０４Ｃの配置は任意であり、図７に図示の変形例の検知器３００は、３つのセンサ１０４Ａ〜１０４Ｃが正面視三角形の頂点に配置されている。
【００４９】
α線は飛行距離が４cmと小さく且つ透過能力も低い。したがってα線を検知するには、放射線検知器１００の検知部１０２と測定対象物Ｏとの間の間隔がα線の飛行距離よりも小さくなるように遮蔽体２００内部での放射線検知器１００の検知部１０２と測定対象物Ｏとの間の間隔を設定すればよい。
【００５０】
実際に遮蔽体２００を使って放射線検知器１００の検知部１０２と線源（２４１Ａｍ（アメリシウム））との間隔を変化させて放射線を計測した結果を示す。アメリシウム241はα線を放出することが知られている。
【００５１】
【表１】
2014139555.tif 000003
【００５２】
表１の数値は３０秒毎に計測した６回分の平均値である。この実験例から、α線の検知のためには、放射線検知器１００の検知部１０２と測定対象物Ｏとの間の間隔を極力小さくする必要があることが分かる。
【００５３】
次に、遮蔽体２００を使って放射線検知器１００の検知部１０２と線源（ストロンチウム９０（Ｓｒ９０））との間隔を変化させて放射線を計測した結果を示す。ストロンチウム９０はβ線を放出することが知られている。
【００５４】
【表２】
2014139555.tif 000004
【００５５】
表２の数値は３０秒毎に計測した６回分の平均値である。この実験例から、β線の検知のためには、α線と同様に、放射線検知器１００の検知部１０２と測定対象物Ｏとの間の間隔を極力小さくするのが望ましいことが分かる。
【００５６】
図８、図９は、他の実施例の放射線検知器４００は比較的大型であり、これを包囲する遮蔽体４５０は約８００Kgの重量物である。放射線検知器４００を収容した遮蔽体４５０は、空気調和システム５０２を備えた自動車５００に搭載され、この自動車５００の中で作業が行われる。外気温が低温になる冬期での適用を念頭に置いたときには、遮蔽体４５０の壁面での結露を回避するために遮蔽体４５０の壁を加熱することのできる電熱ヒーター（図示せず）を遮蔽体４５０に組み込むのが好ましい。
【００５７】
適用する自動車５００は比較的大きなワンボックスカーであるのが望ましい。自動車５００が乗員のために設置されている空気調和システム５０２によって車室５０４内の温度を適温に維持することができる。図８の参照符号５１０は跳ね上げ式のバックドアを示す。
【００５８】
遮蔽体４５０は開閉可能なスライド式の遮蔽ドア４５２を有し、この遮蔽ドア４５２を開けることにより測定対象物Ｏを遮蔽体４５０から出し入れすることができる。測定対象物Ｏを遮蔽体４５０の中に入れる前に、測定対象物Ｏの温度が車室５０４内の温度と同じになるまで車室５０４内に一時保管される。つまり、空気調和システム５０２によってほぼ一定温度に維持される車室５０４は、計測前の測定対象物Ｏに対して恒温室として機能する。これにより計測結果に対する測定対象物Ｏの温度誤差の問題を解消することができる。勿論、遮蔽体４５０の温度も車室５０４内の温度と同じである。
【００５９】
自動車５００には、遮蔽体４５０に対する真空源としての真空ポンプ５０６が搭載され、この真空ポンプ５０６は自動車５００のエンジン（図示せず）によって駆動される。真空ポンプ５０６にはその排気口に除染フィルタ５０８を設置するのがよい。
【００６０】
自動車５００に搭載された放射線量測定装置Ｒに含まれる放射線検知器４００は、図９に示すように、複数の検知ユニット４０２で構成され、各検知ユニット４０２に上述した３つのセンサ１０４が設置され、これに加えて任意であるが中性子を検出するための第４のセンサ４０４が設置される。
【００６１】
各検知ユニット４０２に含まれる３つのセンサ１０４及び第４のセンサ４０４は測定対象物Ｏに対する離間距離を調整することができる。また、各検知ユニット４０２を単位に測定対象物Ｏに対する離間距離を調整することができる。
【００６２】
この点について具体的に説明すると、各検知ユニット４０２のベースプレート４０６つまりセンサ１０４、４０４を支持するためのプレート４０６は、これに隣接するベースプレート４０６とヒンジ結合され、このヒンジ４０８によって隣接する２つのプレート４０６は手で任意の角度に屈曲させることができ、また、手を離したときの角度に維持することができる。これにより、各検知ユニット４０２を単位に測定対象物Ｏに対する離間距離を調整することができる。また、各検知ユニット４０２を単位に測定対象物Ｏに対する離間距離を調整することで、各検知ユニット４０２に含まれる３つのセンサ１０４及び第４のセンサ４０４と測定対象物Ｏとの間の間隔が実質的に調整される。勿論、各検知ユニット４０２に含まれるセンサ１０４、４０４を単位にヒンジ連結して、各センサ１０４、４０４を単位に測定対象物Ｏとの間の間隔を調整できるようにしてもよい。
【００６３】
各検知ユニット４０２に含まれる３つのセンサ１０４及び第４のセンサ４０４と測定対象物Ｏとの間の間隔を更に積極的に調整できるようにするために、複数の検知ユニット４０２のベースプレートを一枚の可撓性材料で構成するようにしてもよいし、各検知ユニット４０２のベースプレート４０６を可撓性材料で構成してもよい。
【００６４】
図示を省略したが、各検知ユニット４０２に設置された３つのセンサ１０４に関し、前述したようにその１つのセンサはフィルタ無しであり、他の一つのセンサには紙などのフィルタが設置され、残るセンサにはプラスティック板や薄い金属板（例えばアルミニウム板）などのフィルタが設置される。すなわち、各検知ユニット４０２に設置された３つのセンサ１０４に関し、一つのセンサはα線、β線、γ線を検知し、他のセンサはβ線、γ線を検知し（α線を遮蔽）、残るセンサはγ線を検知する（α線、β線を遮蔽）。
【００６５】
複数の検知ユニット４０２の互いに隣接するユニット４０２間の角度を任意に設定することができるため、図８に示すように例えば曲面の隆起した表面を備えた測定対象物Ｏの表面形状に沿った形状に放射線検知器４００を設定することにより、測定対象物Ｏとセンサ１０４、４０４の離間距離をほぼ一定に保つことができる。
【００６６】
ワンボックスカー５００に放射線量測定装置Ｒ及び遮蔽体４５０を搭載することにより、このワンボックスカー５００を移動する測定室として使うことができる。また、比較的大型の遮蔽体４５０を搭載することにより、比較的大きな測定対象物Ｏも現場で測定することができる。
【００６７】
また、ワンボックスカー５００が本来的に搭載している空気調和システム５０２を使って車室５０４の温度をほぼ一定の温度に維持することにより、放射線量の測定における温度誤差を小さくすることができる。
【００６８】
また、測定する前に測定対象物Ｏを車室５０４内に待機させることで、放射線測定時の測定対象物Ｏの温度をほぼ一定に保つことができる。また、遮蔽体４５０を真空ポンプ５０６によって可能な限りの真空状態にした遮蔽環境で測定対象物Ｏの放射線量を計測することで、ヘリウム原子核であるα線及び電子で構成されるβ線が空気の分子に衝突する頻度を低減でき、これにより一層正確な放射線量の検出が可能となる。
【００６９】
ワンボックスカー５００を移動する測定室として用いることで、立ち入り禁止区域で作業している作業員の作業服や立ち入り禁止区域内の土壌などを立ち入り禁止区域の近くの駐車エリアで放射線量の測定が可能となる。
【００７０】
具体的には、ワンボックスカー５００を現地の近くまで移動させ、バックドア５１０を開けて測定対象物Ｏを車室５０４内に入れ、車室５０４の温度を一定に保った状態でしばらくの間、測定対象物Ｏを車室５０４内に放置して測定対象物Ｏの温度が車室５０４内の温度とほぼ同じになったら、遮蔽体４５０の中に入れ、そして遮蔽体４５０の内部を真空状態にした後に測定対象物Ｏの放射線量の測定を行う。前述したように放射線量測定装置Ｒはα線、β線、γ線の夫々を検知できるため、各線量を個別にモニタ１１０に表示できると共にプリンタ１１２を使って紙に印刷することができる。
【００７１】
移動測定室であるワンボックスカー５００を使った放射線量測定方法の具体な手順を説明すると次の通りである。
【００７２】
（１）ワンボックスカー５００で現地に向かう。
（２）ワンボックスカー５００を現地に駐車する。
（３）遮蔽体４５０の壁を加熱するヒーターをONして、遮蔽体４５０の壁に結露が発生しない状態まで遮蔽体４５０の壁を加熱する。
（４）ワンボックスカー５００の空気調和システム５０２の動作を継続して車室５０４の温度を適温に維持し続ける。
【００７３】
（５）測定対象物Ｏを車室５０４内に入れて測定対象物Ｏが車室５０４内の温度とほぼ同じなるまで測定対象物Ｏを車室５０４内に放置する（測定対象物Ｏの一時保管）。
（６）車室５０４内に一時保管した測定対象物Ｏを遮蔽体４５０の中に入れて測定を開始する。
（７）遮蔽体４５０の内部を真空にする。
（８）測定結果をパーソナルコンピュータＰＣのメモリに記憶させると共にプリンタ１１２を使って出力する。
【００７４】
勿論、数多くの測定対象物Ｏをワンボックスカー５００に収容し、車室５０４の温度と同じ温度になった測定対象物Ｏから順次、遮蔽体４５０の中に入れて測定を行うようにしてもよい。
【００７５】
図１０〜図１７は、測定対象物Ｏが発する放射線量を計測するのに好適に適用可能な遮蔽体６００を示す。図１０は平面図である。図１１は正面図である。図１２は右側面図である。図１３は左側面図である。図１４は背面図である。図１５は底面図である。図１６は斜視図である。図１７は、使用状態を説明するための断面図である。
【００７６】
遮蔽体６００は、上方に向けて開放したボックス体６０２と、平板状のスライド式上蓋６０４とを備え、この上蓋６０４を閉じることによりボックス体６０２の内部６０２ａを遮蔽空間にすることができる。図１６に示す参照符号６０６は左右一対のレールを示し、この２本のレール６０６、６０６は互いに平行であり、この２本のレール６０６、６０６に案内されて上蓋６０４を開閉動作させることができる。ボックス体６０２及び上蓋６０４は、例えばステンレス鋼板で包囲した鉛などの放射線遮蔽機能を備えた材料で構成される。
【００７７】
測定対象物Ｏは、トレー６０８の上に置いた状態でボックス体６０２の中に収容され（図１７）、その上に、好ましい検出器として前述の第１〜第３の３つの放射線検知部１０２Ａ、１０２Ｂ、１０２Ｃを備えた放射線検知器１００が配置される（図１６、図１７）。
【００７８】
遮蔽体６００を使った放射線測定において、入手可能な携帯式の放射線検知器、典型的にはサーベイメータ型の検知器を使用してもよい。また、図示を省略したが遮蔽体６００の壁面を加熱する熱源を設けるのがよい。特にボックス体６０２の壁面を加熱する電気式の熱源を付設又はボックス体６０２に内蔵させて、ボックス体６０２を加熱することにより結露の発生を防止するのがよい。更に、ボックス体６０２の壁面温度を検出する温度センサを設け、遮蔽体６００の温度、特にボックス体６０２の壁面温度を一定に維持するのが好ましい。
【００７９】
遮蔽体６００は、上述したように自動車５００に搭載して現場又は現場近くで測定対象物Ｏの放射線量を計測するのに用いてもよく、又は、室内に設置して、運び込んだ測定対象物Ｏの放射線量をサーベイメータ型の検出器を使って計測するのに用いてもよい。
【符号の説明】
【００８０】
１００  放射線検知器
１２０Ｂ  紙片や合成樹脂製の薄いシートからなるフィルタ
１２０Ｃ  例えば１cmの厚さのプラスティック板や薄い金属板（例えばアルミニウム板）からなるフィルタ
４０８  ヒンジ
４５０  遮蔽体
５００  ワンボックスカー
５０２  空気調和システム
５０６  真空ポンプ
ＰＣ  パーソナルコンピュータ
Ｒ  放射線量測定装置
【図１】
2014139555.tif 000005
【図２】
2014139555.tif 000006
【図３】
2014139555.tif 000007
【図４】
2014139555.tif 000008
【図５】
2014139555.tif 000009
【図６】
2014139555.tif 000010
【図７】
2014139555.tif 000011
【図８】
2014139555.tif 000012
【図９】
2014139555.tif 000013
【図１０】
2014139555.tif 000014
【図１１】
2014139555.tif 000015
【図１２】
2014139555.tif 000016
【図１３】
2014139555.tif 000017
【図１４】
2014139555.tif 000018
【図１５】
2014139555.tif 000019
【図１６】
2014139555.tif 000020
【図１７】
2014139555.tif 000021